(57)【要約】      （修正有）【課題】動画変換サービスの活性化を図り、かつ安定的に運営することのできる動画変換ファイルデータ負荷分散自動認証装置、動画ファイルデータ課金管理装置サービス管理システム等を提供する。【解決手段】ユーザ端末７から情報通信網８を介して、動画ファイルデータ変換の申し込みを管理サーバが受けて、動画変換要求信号を受信すると、動画ファイルデータベースに基づいて、動画変換ファイルデータ負荷分散自動認証装置は動画ファイルの大きさと時間の指示を各動画形式変換装置変換に出し、ユーザ端末よりリクエストのあった動画ファイルに高速且つ画質劣化を小さく且つ、高画質に変換をおこなう。動画変換利用ポイントの更新制御部は、変換後動画内容が表示されていることを必要条件として、変換後動画ファイル内容が表示される原因となった視聴要求信号と関連付けて記憶されたユーザコードを抽出し、そのユーザの利用ポイントを減少する。【選択図】図１
2009003903.tif 000002
【特許請求の範囲】
【請求項１】
動画ファイルデータ課金管理装置と動画変換ファイルデータ負荷分散自動認証装置システム、動画形式変換自動入出力装置は、ユーザを特定するユーザ特定データとユーザにより選択される動画ファイルデータとを関連付けて記憶し、前記ユーザ特定データと動画ファイル課金ポイントとを関連付けて記憶し、かつ、希望変換動画ファイルデータと変換後動画ファイルデータとを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画ファイルデータの表示を要求する希望変換動画ファイルデータ要求信号を情報通信網を介して受信すると、当該表示要求信号に基づいて特定された動画ファイルデータに指定動画ファイルデータが関連付けられている場合には、当該動画ファイルデータと指定動画ファイルデータを情報通信網を介してユーザコンピュータに送信して表示するよう制御する動画ファイル表示制御部と、前記動画ファイル表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画変換時間によりカウントされる動画変換ファイル課金ポイントを増加、減少するよう制御する管理ポイント更新制御部と、を有する動画変換ファイル課金ポイント管理装置、として機能する。
【請求項２】
動画変換ファイルデータ負荷分散自動認証装置、動画ファイルデータ課金管理装置は、ユーザを特定するユーザ特定データとユーザにより選択される動画ファイルデータとを関連付けて記憶し、前記ユーザ特定データと動画変換ファイルポイントとを関連付けて記憶し、かつ、希望変換動画ファイルデータと変換後動画ファイルデータとを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画変換ファイルデータの表示を要求する。希望変換動画ファイル要求信号を情報通信網を介して受信すると、当該表示要求信号に基づいて特定された動画ファイルデータに指定動画ファイルデータが関連付けられている場合には、当該動画ファイルデータと指定動画ファイルデータを情報通信網を介してユーザコンピュータに送信して表示するよう制御する動画ファイル表示制御部と、前記動画ファイル表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画ファイル変換時間によりカウントされる動画変換ファイル課金ポイントを増加、減少するよう制御する動画ファイル変換ポイント更新制御部を備えている。
【請求項３】
ユーザを特定するユーザ特定データとユーザにより選択される希望変換動画ファイルデータとを関連付けて記憶し、前記ユーザ特定データと動画変換ファイル課金ポイントとを関連付けて記憶し、かつ、動画ファイルデータと動画変換ファイルデータ負荷分散自動認証装置とを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画ファイルデータの表示を要求する希望変換動画ファイル要求信号を情報通信網を介して受信すると、当該表示要求信号に基づいて特定された希望変換動画ファイルデータに変換後動画ファイルデータが関連付けられている場合には、当該希望変換動画ファイルデータと換後動画ファイルデータを情報通信網を介してユーザコンピュータに送信して表示するよう制御する動画ファイルデータ表示制御部と、前記動画ファイルデータ表示制御部の制御下で前記変換後動画ファイルデータが表示されていることを必要条件として、情報データベースに基づいて、当該変換後動画ファイルデータが表示される原因となった前記希望変換動画ファイルデータ要求信号と関連付けて記憶されたユーザ特定データを抽出するとともに抽出されたユーザ特定データと関連付けて記憶された動画ファイルデータ変換時間によりカウントされる動画変換ファイル課金ポイントを増加、減少するよう制御する動画変換ファイル課金ポイント更新制御部と、動画変換ファイルデータ負荷分散自動認証装置を有する管理装置、として機能させるためのプログラムである。
【請求項４】
請求項３プログラムを記録した記録媒体は、上記プログラムを記録している。
【発明の詳細な説明】
【技術分野】
【０００１】この発明は動画変換ファイルデータ負荷分散自動認証装置、動画ファイルデータ課金管理装置、動画形式変換自動入出力装置に関し、とくに、動画形式変換後ファイルデータの内容とする情報の表示及び動画形式ファイルデータ変換リクエストの時間をポイント管理制御する技術に関する。
【背景技術】
【０００２】高速情報通信が台頭、動画投稿ユーザの増加が目覚しい。ユーザは無償または有償で様々な情報の動画投稿できるようになっている。
【発明の開示】
【発明が解決しようとする課題】
【０００３】しかしながら、特定の情報端末しか動画変換ができなかったため、動画変換に対するユーザのストレスは逆に増加しているのが現状であり、【０００４】また、動画変換装置は、高額なためユーザ向け映像・動画記憶録画装置が普及しても、限られたユーザ向け映像・動画記憶録画装置でしか記憶・録画した映像及び動画を視聴することができず視聴者もストレスが多くなるうえ、必ずしもユーザ一人ひとりの嗜好と一致するものとは限らないことからサービスの運営を維持するために、動画情報に動画広告などを挿入しているケースも多い。【０００５】このため、動画変換サービスはユーザにとってそれほど魅力的なサービスとは考えられておらず、この結果、一部の動画ファイルを無償にするなど、なんとかユーザのストレスを軽減しようと試みてはいるが、限られた動画ファイルデータ形式しか変換することができないため無償にすることによっても、ユーザの利用回数が極端に減少することも少なくなかった。【０００６】この発明は、従来の動画ファイル変換サービスのような、限られた動画ファイル変換サービスにおける課題を解決し、動画ファイル変換の活性化を図るとともに、広くユーザの利用向上を図り、動画変換ファイルデータ負荷分散自動認証装置、動画ファイルデータ課金管理装置、動画形式変換自動入出力装置を連動させ、パーソナルコンピューター、携帯電話、ビデオカメラ、デジタルカメラ等で撮影、録画した動画をユーザの希望する動画ファイルデータに変換して、サービスを安定的に運営することのできる動画ファイル変換ポイント管理システム等を提供することを目的とする。
【課題を解決するための手段】
【０００７】この発明による動画ファイル変換ポイント管理システムは、ユーザを特定するユーザ特定データとユーザにより選択される動画ファイルデータとを関連付けて記憶し、前記ユーザ特定データと動画ファイル変換ポイントとを関連付けて記憶し、かつ、動画ファイルデータと変換後動画ファイルテータとを関連付けて記憶する情報データベース、にアクセス可能であり、かつ、ユーザコンピュータからユーザの変換要求信号を情報通信網を介して受信するとともに、受信した変換要求信号とユーザ特定データとを関連付けて情報データベースに記憶するよう制御するユーザ制御部と、ユーザコンピュータから動画ファイル変換データの表示を要求する視聴要求信号を情報通信網を介して受信すると、当該表示要求信号に基づいて特定された動画ファイルデータに指定データが関連付けられている場合には、当該動画ファイルデータと指定動画ファイルデータを情報通信網を介してユーザコンピュータに送信して表示するよう制御する動画ファイル表示制御部と、前記動画ファイル表示制御部の制御下で前記動画ファイルデータが表示されていることを必要条件として、情報データベースに基づいて、当該動画ファイルデータが表示される原因となった前記動画ファイル要求信号と関連付けて記憶されたユーザ特定データを抽出するとともに抽出されたユーザ特定データと関連付けて記憶された動画変換時間によりカウントされる動画ファイル課金管理装置が課金ポイントを減少するよう制御する動画ファイル課金管理装置課金ポイント更新制御部と、を有する動画ファイルデータ課金管理装置、として機能する。【０００８】この発明による、動画変換ファイルデータ負荷分散自動認証装置、動画ファイルデータ課金管理装置、動画形式変換自動入出力装置は、ユーザを特定するユーザ特定データとユーザにより選択される動画データとを関連付けて記憶し、前記ユーザ特定データと報酬ポイントとを関連付けて記憶し、かつ、変換希望動画ファイルデータと変換動画ファイルデータとを関連付けて記憶する情報データベース、にアクセス可能であり、かつ、ユーザコンピュータからユーザの動画変換要求信号を情報通信網を介して受信するとともに、受信した視聴要求信号とユーザ特定データとを関連付けて情報データベースに記憶するよう制御するユーザ制御部と、ユーザコンピュータから変換希望動画ファイルデータの表示を要求する動画変換要求信号を情報通信網を介して受信すると、当該表示要求信号に基づいて特定された変換希望動画ファイルデータと変換動画ファイルデータ視聴広告データに関連付けられている場合には、当該動画ファイルデータと指定動画ファイルデータを情報通信網を介してユーザコンピュータに送信して表示するよう制御する動画ファイル課金管理装置と、前記動画変換ファイル負荷分散・自動認証装置制御部の制御下で前記動画ファイルデータが表示されていることを必要条件として、情報データベースに基づいて、当該動画ファイルデータが表示される原因となった前記動画変換要求信号と関連付けて記憶されたユーザ特定データを抽出するとともに抽出されたユーザ特定データと関連付けて記憶された動画変換時間によりカウントされる動画ファイル課金管理装置課金ポイントを減少するよう制御する動画ファイルデータ課金ポイント更新制御部を備えている。【０００９】この発明によるプログラムは、ユーザを特定するユーザ特定データとユーザにより選択される変換希望動画ファイルデータとを関連付けて記憶し、前記ユーザ特定データと動画ファイル課金ポイント装置とを関連付けて記憶し、かつ、変換希望動画ファイルデータと変換後動画ファイルデータとを関連付けて記憶する情報データベース、にアクセス可能であり、かつ、ユーザコンピュータからユーザの動画ファイル変換要求信号を情報通信網を介して受信するとともに、受信した視聴要求信号とユーザ特定データとを関連付けて情報データベースに記憶するよう制御するユーザ制御部と、ユーザコンピュータから視聴広告データの表示を要求する動画ファイル変換要求信号を情報通信網を介して受信すると、当該表示要求信号に基づいて特定された変換希望動画ファイルデータに変換後動画データが関連付けられている場合には、当該変換希望動画ファイルデータと指定動画ファイルデータを情報通信網を介してユーザコンピュータに送信して表示するよう制御する動画ファイルデータ表示制御部と、前記動画ファイルデータ表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画変換時間によりカウントされる動画変換ファイルポイントを減少するよう制御する報酬ポイント更新制御部と、を有する動画ファイル課金管理装置視聴として機能させるためのプログラムである。【００１０】この発明による動画ファイルデータ課金管理装置ポイント管理方法は、ユーザを特定するユーザ特定データと動画変換ファイルポイントとを関連付けて記憶し、かつ、動画ファイルデータとを関連付けて記憶する情報データベース、にアクセス可能なサーバコンピュータを用いた動画変換管理方法であって、サーバコンピュータが、ユーザコンピュータから動画ファイル要求信号を情報通信網を介して受信するとともに、受信した動画ファイル要求信号とユーザ特定データとを関連付けて情報データベースに記憶するよう制御するユーザ制御ステップと、サーバコンピュータが、ユーザコンピュータから希望変換動画ファイルデータの表示を要求する動画変換要求信号を情報通信網を介して受信すると、当該表示要求信号に基づいて特定された動画ファイルデータに変換後動画ファイルデータが関連付けられている場合には、当該希望変換動画ファイルデータと指定動画ファイルデータを情報通信網を介してユーザコンピュータに送信して表示するよう制御する。動画変換ファイル負荷分散・自動認証装置と、動画ファイル課金管理装置、動画形式変換装置の連携により、前記動画ファイル表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画変換時間によりカウントされる動画ファイル課金ポイントを増加、減少するよう制御する動画変換ファイル課金ポイント更新ステップと、を備えている。【００１１】本発明の特徴は、上記のように広く示すことができるが、その構成や内容は、目的および特徴とともに、図面を考慮に入れた上で、以下の開示によりさらに明らかになるであろう。
【発明の効果】
【００１２】請求項１による動画ファイルデータ課金管理装置と動画変換ファイルデータ負荷分散自動認証装置システム、動画形式変換自動入出力装置は、ユーザを特定するユーザ特定データとユーザにより選択される動画ファイルデータとを関連付けて記憶し、前記ユーザ特定データと動画ファイル課金ポイントとを関連付けて記憶し、かつ、希望変換動画ファイルデータと変換後動画ファイルデータとを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画ファイルデータの表示を要求する希望変換動画ファイルデータ要求信号を情報通信網を介して受信すると、当該表示要求信号に基づいて特定された動画ファイルデータに指定動画ファイルデータが関連付けられている場合には、当該動画ファイルデータと指定動画ファイルデータを情報通信網を介してユーザコンピュータに送信して表示するよう制御する動画ファイル表示制御部と、前記動画ファイル表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画変換時間によりカウントされる動画変換ファイル課金ポイントを増加、減少するよう制御する管理ポイント更新制御部と、を有する動画変換ファイル課金ポイント管理装置、として機能する。【００１３】請求項２による動画変換ファイルデータ負荷分散自動認証装置、動画ファイルデータ課金管理装置は、ユーザを特定するユーザ特定データとユーザにより選択される動画ファイルデータとを関連付けて記憶し、前記ユーザ特定データと動画変換ファイルポイントとを関連付けて記憶し、かつ、希望変換動画ファイルデータと変換後動画ファイルデータとを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画変換ファイルデータの表示を要求する。希望変換動画ファイル要求信号を情報通信網を介して受信すると、当該表示要求信号に基づいて特定された動画ファイルデータに指定動画ファイルデータが関連付けられている場合には、当該動画ファイルデータと指定動画ファイルデータを情報通信網を介してユーザコンピュータに送信して表示するよう制御する動画ファイル表示制御部と、前記動画ファイル表示制御部の制御下で前記動画ファイルデータが表示されていることを必要条件として、情報データベースに基づいて、当該動画ファイルデータが表示される原因となった前記希望変換動画ファイル要求信号と関連付けて記憶されたユーザ特定データを抽出するとともに抽出されたユーザ特定データと関連付けて記憶された動画ファイル変換時間によりカウントされる動画変換ファイル課金ポイントを増加、減少するよう制御する動画ファイル変換ポイント更新制御部を備えている。【００１４】請求項３によるプログラムは、ユーザを特定するユーザ特定データとユーザにより選択される希望変換動画ファイルデータとを関連付けて記憶し、前記ユーザ特定データと動画変換ファイル課金ポイントとを関連付けて記憶し、かつ、動画ファイルデータと動画変換ファイルデータ負荷分散自動認証装置とを関連付けて記憶する情報データベース、にアクセス可能であり、かつ、ユーザコンピュータからユーザの希望変換動画ファイル要求信号を情報通信網を介して受信するとともに、受信した希望変換動画ファイル要求信号とユーザ特定データとを関連付けて情報データベースに記憶するよう制御するユーザ制御部と、ユーザコンピュータから動画ファイルデータの表示を要求する希望変換動画ファイル要求信号を情報通信網を介して受信すると、当該表示要求信号に基づいて特定された希望変換動画ファイルデータに変換後動画ファイルデータが関連付けられている場合には、当該希望変換動画ファイルデータと換後動画ファイルデータを情報通信網を介してユーザコンピュータに送信して表示するよう制御する動画ファイルデータ表示制御部と、前記動画ファイルデータ表示制御部の制御下で前記変換後動画ファイルデータが表示されていることを必要条件として、情報データベースに基づいて、当該変換後動画ファイルデータが表示される原因となった前記希望変換動画ファイルデータ要求信号と関連付けて記憶されたユーザ特定データを抽出するとともに抽出されたユーザ特定データと関連付けて記憶された動画ファイルデータ変換時間によりカウントされる動画変換ファイル課金ポイントを増加、減少するよう制御する動画変換ファイル課金ポイント更新制御部と、動画変換ファイルデータ負荷分散自動認証装置を有する管理装置、として機能させるためのプログラムである。【００１５】請求項４によるプログラムを記録した記録媒体は、上記プログラムを記録している。
【発明を実施するための最良の形態】
【００１６】図１は、この発明の一実施形態による動画ファイルデータ課金管理装置システム２の構成と動画変換ファイルデータ負荷分散自動認証装置（管理サーバ）４と動画形式変換装置６とユーザ端末７を示す図面である。ユーザ端末７は、動画変換ファイル負荷分散・自動認証装置（管理サーバ）４へ変換希望動画ファイルデータ指示要求を出し、指示を受けた動画変換ファイルデータ負荷分散自動認証装置（管理サーバ）４は情報通信網８を介して複数の動画形式変換装置（変換サーバー）６へ指示を出し、希望変換動画ファイルデータを変換する。変換した動画ファイルデータは情報通信網８を介して、動画ファイル課金管理装置システム２へ送信され、情報通信網８を介してユーザ端末へ変換後ファイルを通信可能となっている。【００１７】図２−ａと図２−ｂは、図１の動画変換ファイルデータ負荷分散自動認証装置（管理サーバ）４と動画ファイル課金管理装置システム２を構成を示すブロック図である。【００１８】ユーザの使用するユーザ端末７は、入力装置６ａ、表示装置６ｂおよび記憶装置６ｃを備えている。ユーザ端末７は、情報通信網８を介して希望変換動画ファイルデータや変換後動画ファイルデータを管理サーバ４から受信し、表示装置６ｂに表示する。【００１８】管理サーバ４は、情報データベース１００と、情報データベース１００にアクセス可能な制御部８０とを備えている。【００１９】情報データベース１００は、ユーザ管理テーブル１０２，変換サーバ管理テーブル１０４、課金管理テーブル１０５を備えている。
図３は、それぞれ、ユーザ管理テーブル１０２，変換サーバ管理テーブル１０４、課金管理テーブル１０５のデータ構造の一例を示す図面である。【００２０】図３は、情報表示管理システム２における処理の流れの一例を示すフローチャートである。【００２１】図２−ａと図２−ｂに基づいて、動画ファイルデータ課金管理ポイント管理システム２の動作の説明を行う。動画ファイル課金管理装置システム２は、ユーザ登録処理を行う（ステップ１）。ユーザ端末から入力された属性を示すデータをインターネットを介して受信し、新たなユーザコードを生成し、受信したこれらのデータを、生成したユーザコードに関連付けて、情報データベース１００のユーザテーブル１０２（図２−ａと図２−ｂ参照）に記憶する。【００２２】また、動画ファイル課金管理装置システム２は、希望変換動画ファイルデータリクエスト処理を行う（ステップ２）。動画変換ファイルデータ負荷分散自動認証装置（管理サーバ）４処理を、ステップＳ３〜ステップＳ７の処理に分けて説明する。【００２３】動画ファイルデータ課金管理装置管理システム２は、希望変換動画ファイル要求信号を受信すると、情報データベース１００の変換サーバ管理テーブルテーブル１０４に基づいて、動画ファイルデータの認証をする。（ステップＳ３）。【００２４】つぎに、動画変換ファイルデータ負荷分散自動認証装置（管理サーバ）４は、変換サーバ管理テーブル１０４とに基づいて、当該ユーザに関連付けて希望動画ファイルデータの分散処理をおこなう（ステップＳ４）。【００２５】つぎに、複数の動画形式変換装置（変換サーバー）６は動画変換ファイル負荷分散・自動認証装置（管理サーバ）４の指示で、ユーザ管理テーブル１０２基づいて、動画形式変換処理を自動でおこなう。（ステップＳ５）。【００２６】つぎに、動画ファイル課金管理装置システム２は、ユーザテーブル１０２と変換サーバ管理テーブルテーブル１０４、変換サーバ管理テーブル１０５に基づいて、当該ユーザに関連付けて記憶されている動画変換ファイル課金ポイントを増加、減少するよう制御する。（ステップＳ６）。【００２７】つぎに、動画ファイル課金管理装置システム２は、上記ステップＳ３〜ステップＳ６において共通して抽出された動画変換分散及び動画変換処理の内容動画変換処理内容の集合の論理積として表される変換後動画ファイルデータ内容（すなわち、ステップＳ３〜ステップＳ６に示す各抽出条件を満たす動画変換分散処理及び動画変換処理後データ）を最終的に取り出し、これを、インターネットを介してユーザ端末７に送信して表示するよう制御する（ステップＳ７）。【００２８】なお、この例では、ステップＳ３〜ステップＳ６（（すなわち、ステップＳ３〜ステップＳ６に示す各抽出条件を満たす動画変換分散処理及び動画変換処理後データ）表示に示す各抽出条件を満たす動画変換処理情報内容を別々の集合として求めておき、最後に（ステップＳ７で）、これらの集合の論理積をとるよう構成したが、この発明はこれに限定されるものではない。たとえば、上述の表示用変換後動画ファイルデータ内容抽出ステップにおいて、前ステップの抽出条件を満たす動画変換処理情報内容の集合の中から次のステップの抽出条件を満たす動画変換処理情報内容を抽出するよう構成することもできる。【００２９】この場合、ステップが進むごとに抽出される動画変換処理情報内容の数は少なくなるから、たとえば、表示用変換後動画ファイルデータ内容抽出ステップを構成する複数のステップを重要度の高い抽出条件のものから順に実行するよう構成しておき、抽出される広告内容の数が所望の数（たとえば１つ〜５つ）に到達した時点で、残りの表示用変換後動画ファイルデータ内容抽出ステップの実行を中止し、その時点での抽出結果を最終的な抽出結果とすればよい。このように構成すれば、管理テーブルテーブル１０４に登録されている希望変換動画ファイルデータ内容の多寡に関わらず自動的に適正数の動画ファイルデータ内容をユーザ端末７に表示することが可能となり、動画変換サービスをいつそう高めることができる。【００３０】また、上述の実施形態においては、ユーザ端末は、パーソナルコンピュータに限定されるものではない。携帯電話機や携帯情報端末等も使用できる。【００３１】また、上述の実施形態においては、情報通信網としてインターネットを例に説明したが、情報通信網はインターネットに限定されるものではない。たとえば、ＬＡＮ（ローカルエリアネットワーク）やＷＡＮ（ワイドエリアネットワーク）、イントラネット等を介して複数のコンピュータを接続するようなネットワークにおいて本発明を実現するようにしてもよい。【００３２】また、動画形式変換装置（変換サーバー）６は、複数のコンピュータを分散配置することもできる。この場合、たとえば、制御部の機能を有するコンピュータと、情報データベースを有するコンピュータとを、別のコンピュータで構成することもできる。なお、分散配置する場合は、これらを情報通信網を介して相互に接続することもできる。【００３３】また、情報データベースの数や種類も特に限定されるものではなく、上述の情報データベースを分割して、複数の情報データベースとすることもできる。また、情報データベースを構成するテーブルの数や種類も特に限定されるものではなく、１つのテーブルを分割して複数のテーブルとしたり、２以上のテーブルを結合して１つのテーブルとしたりとすることもできる。また、情報データベースを構成する各種記憶部の数や種類も特に限定されるものではなく、上述の各種記憶部をさらに分割したり、まとめたりすることもできる。なお、各種記憶部を分割配置する場合は、これらを情報通信網を介して相互に接続することもできる。【００３４】なお、上述の実施形態においては、コンピュータを用いて図２の各機能を実現する場合を例に説明したが、図２の機能の一部または全部を、ハードウェアロジックを用いて構成するようにしてもよい。【００３５】上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。
また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【図面の簡単な説明】
【００３６】
【図１】この発明の一実施形態による動画変換ファイルデータ負荷分散自動認証装置システム４、動画ファイル課金管理装置システム２の構成を示す図面である。
【図２−ａ】図１の動画変換ファイルデータ負荷分散自動認証装置システム４を構成する管理サーバ４、ユーザ端末７の構成を示すブロック図である。
【図２−ｂ】動画ファイルデータ課金管理装置システム２を構成管理する管理サーバ２の構成を示す図面である。
【図３】動画変換ファイルデータ負荷分散自動認証装置システム４、動画ファイルデータ課金管理装置システム２における処理の流れの一例を示すフローチャートである。
【符号の説明】
【００３７】２：課金サーバ
４：管理サーバ
７：ユーザ端末
１００：情報データベース
１０２：ユーザテーブル
１０５：変換サーバ管理テーブル
１０６：課金管理テーブル
【図１】
2009003903.tif 000003
【図２−ａ】
2009003903.tif 000004
【図２−ｂ】
2009003903.tif 000005
【図３】
2009003903.tif 000006